(57)【要約】【課題】上シートと下シートとからなるデスクマットであって、環境問題に配慮し、また使用時に両シートがずれることがなく、また両シートを分離して簡単に汚れを取り除くことができ、しかも安価に製造できるデスクマットを提供する。【解決手段】ポリオレフィン系樹脂からなる上シート４と、該上シートと同種又は異種のポリオレフィン系樹脂からなる下シート５とからなり、重ね合わせた上下シートの周縁部においてシート素材同士の上下方向の交差のみによる着脱自在な係合手段７にて連結してなる。【選択図】        図３
2004236701.tif 000002
【特許請求の範囲】
【請求項１】
ポリオレフィン系樹脂からなる上シートと、該上シートと同種又は異種のポリオレフィン系樹脂からなる下シートとからなり、重ね合わせた上下シートの周縁部においてシート素材同士の上下方向の交差のみによる着脱自在な係合手段にて連結してなることを特徴とするデスクマット。
【請求項２】
前記係合手段が、上シートと下シートの一方に舌片を形成し、他方に前記舌片を差し込む挿入孔を形成し、前記舌片と挿入孔がともにシート素材を部分切断して形成してなる請求項１記載のデスクマット。
【請求項３】
前記上シートと下シートが長方形状であり、前記係合手段が長辺側の両側部又は上縁部に沿って形成してなる請求項１又は２記載のデスクマット。
【請求項４】
平面視形状が略同形の前記上シートと下シートとからなり、少なくとも一方が透明又は半透明である請求項１〜３何れかに記載のデスクマット。
【請求項５】
前記上シートと下シートを硬さが異なるシート素材で形成してなる請求項１〜４何れかに記載のデスクマット。
【発明の詳細な説明】
【０００１】
【発明の属する技術分野】
本発明は、デスクマットに係わり、更に詳しくは学習机等のデスクの天板上面に敷設して使用するデスクマットに関するものである。
【０００２】
【従来の技術】
従来から、学習机等のデスクの天板上面に敷設して使用するデスクマットとしてポリ塩化ビニル製のものが使用されていた。しかし、ポリ塩化ビニル製のデスクマットは、焼却処分する際に焼却条件によってはダイオキシン等の有害物質が放出され、環境問題が生じることもある。そのため、近年では合成樹脂素材としてポリ塩化ビニルをなるべく使用しない、いわゆる「脱塩ビ」が社会のコンセンサスとなっており、ポリオレフィン系の合成樹脂で代替されるようになった。
【０００３】
従来からデスクマットは、透明又は半透明の上シートと下シートとから構成され、シート間に時間割や写真等のシート物を挟み込んで使用することができるようにしている。ここで、上シートと下シートを単に重ねただけでは、上シートがずれるので、特許文献１に記載されるように、下シートの一方の長辺の端近くの中央に上カバーと同じ厚みを有する凸段部を形成し、下カバーには前記凸段部を嵌め込む切抜き孔を形成したり、また特許文献２に記載されるように、上シートと下シートの両端部に面ファスナーを取付けて互いに密着するようにしたり、あるいは特許文献３に記載されるように、上シートと下シートの一辺において高周波接合したりしていた。
【０００４】
しかし、特許文献１では、凸段部を下シートに接着剤で接着するので、接着剤の乾燥時間が必要になって製造コストが高くなるばかりでなく、また凸段部と下シートとが接着可能な材質に制限される。また、特許文献２では、上シートと下シートに面ファスナーを接着したり、縫い付けたりするので、同じく製造コストが高くなるばかりでなく、厚さが厚くなったり、面ファスナーが透視されて見苦しく、また耐久性において問題がある。そして、特許文献３では、上シートと下シートを高周波接合するので、その高周波接合装置が必要となり、製造コストが高くなるばかりでなく、接合部の近くの汚れを取り除き難いといった問題を有している。
【０００５】
【特許文献１】実開平６−５５４２号公報
【特許文献２】実開平７−２０８８５号公報
【特許文献３】実用新案登録第３０６６４６１号公報
【０００６】
【発明が解決しようとする課題】
本発明が前述の状況に鑑み、解決しようとするところは、上シートと下シートとからなるデスクマットであって、環境問題に配慮し、また使用時に両シートがずれることがなく、また両シートを分離して簡単に汚れを取り除くことができ、しかも安価に製造できるデスクマットを提供する点にある。
【０００７】
【課題を解決するための手段】
本発明は、前述の課題解決のために、ポリオレフィン系樹脂からなる上シートと、該上シートと同種又は異種のポリオレフィン系樹脂からなる下シートとからなり、重ね合わせた上下シートの周縁部においてシート素材同士の上下方向の交差のみによる着脱自在な係合手段にて連結してなるデスクマットを構成した。それにより、上シートと下シートを接着や溶着手段を用いずに連結するので、安価に製造でき、また簡単に分離して汚れを落とすことができるので好ましい。
【０００８】
具体的には、前記係合手段が、上シートと下シートの一方に舌片を形成し、他方に前記舌片を差し込む挿入孔を形成し、前記舌片と挿入孔がともにシート素材を部分切断して形成してなるのである。
【０００９】
ここで、前記上シートと下シートが長方形状であり、前記係合手段が長辺側の両側部又は上縁部に沿って形成してなることも好ましい。
【００１０】
また、平面視形状が略同形の前記上シートと下シートとからなり、少なくとも一方が透明又は半透明であると、あるいは前記上シートと下シートを硬さが異なるシート素材で形成するとより好ましいのである。
【００１１】
【発明の実施の形態】
次に本発明の実施の形態を添付図面に基づき更に詳細に説明する。図１は本発明に係るデスクマット１を学習机２の天板３の上面に敷設した使用例を示し、図中符号４は上シート、５は下シート、６は時間割等のシート物をそれぞれ示している。
【００１２】
本発明のデスクマット１は、図２〜図５に示すように、ポリオレフィン系樹脂からなる上シート４と、該上シート４と同種又は異種のポリオレフィン系樹脂からなる下シート５とからなり、重ね合わせた上下シートの周縁部においてシート素材同士の上下方向の交差のみによる着脱自在な係合手段７にて連結したものである。ここで、前記ポリオレフィン系樹脂としては、ポリエチレン（ＰＥ）、ポリプロピレン（ＰＰ）、エチレン・酢酸ビニルコポリマー（ＥＶＡ）、エチレン・メタクリル酸コポリマー（ＥＭＭＡ）などの単体又は混合物を用いている。そして、適宜な可塑剤を配合して、その硬さ、あるいは柔らかさを調整するとともに、必要に応じて適宜な顔料を配合して着色している。ポリオレフィン系樹脂は、炭素と水素のみから作られた鎖状炭化水素であるので、焼却時に二酸化炭素と水しか発生しないので、環境に優しい合成樹脂である。
【００１３】
また、本発明のデスクマット１の基本的態様は、前記上シート４と下シート５が長方形状であり、前記係合手段７が長辺側の両側部又は上縁部に沿って形成してなるものである。通常、前記デスクマット１は、前記天板３に長辺を横方向に向けて敷設して使用される。このように、上縁部のみ前記上シート４と下シート５とを連結すると、上シート４を下から捲れるので、シート物６を挟んだり、取り除いたりする作業が容易である。しかし、前記係合手段７を前記上シート４と下シート５の全周縁部に形成しても勿論構わない。その場合には、頻繁に出し入れしないシート物６を固定的に挟み込むのに便利であり、また埃などが上下シート間に侵入するのを防止できる。
【００１４】
そして、前記デスクマット１は、平面視形状が略同形の前記上シート４と下シート５とからなり、少なくとも一方が透明又は半透明であることが好ましい。この場合、上位に位置するシートを上シートとすれば、上シート４が透明又は半透明であると、間に挟んだシート物６を透視できるので好ましい。
【００１５】
更に、前記デスクマット１は、前記上シート４と下シート５を硬さが異なるシート素材で形成してなることが好ましい。前記上シート４と下シート５を硬さが異なるようにするには、可塑剤を調整してシート素材そのものの物性を調整する方法が一般的であるが、発泡倍率を調整しても硬さを変更できる。このように、上下シートで硬さを変えた場合、使用者の筆圧に応じて最適な硬さの面を上に向けて敷設することができる。
【００１６】
また、本発明の前記デスクマット１は、前記係合手段７の構造及びそれを設ける位置によって様々な実施形態が存在する。先ず、図２〜図５に示すように、前記上シート４と下シート５の上縁部のコーナー部であって、上シート４に舌片８，８を形成し、他方に前記舌片８，８を差し込む挿入孔９，９を形成し、前記舌片８と挿入孔９がともにシート素材を部分切断して形成してなるのである。ここで、前記舌片８を下シート５に形成し、前記挿入孔９を上シート４に形成しても良い。
【００１７】
更に詳しくは、前記舌片８は、コーナー部に向けて凸に湾曲した切断線１０で前記上シート４をトムソン等で切断し、同様に前記挿入孔９は、切片９Ａが内方を向くように断面略コ字形の切断線１１で切断して形成している。尚、前記舌片８の切断線１０の両終端は、小円孔１２，１２として、応力が一点に集中ないようにし、切断線１０の両終端を起点とした破れを防止している。尚、前記小円孔１２，１２を設けるもう一つの理由は、両小円孔１２，１２間の距離を前記挿入孔９の最大幅に略一致させると、前記舌片８の最大幅が前記挿入孔９の最大幅よりも大きくなって、前記舌片８を挿入孔９内に差し込んで連結した際に、抜止めの作用をなすからである。
【００１８】
また、図４及び図５に示すように、前記舌片８を挿入孔９内に差し込んだ状態では、前記舌片８は下シート５の下面側へ進入し、挿入孔９の縁部で作られる切片９Ａが、上シート４の上面に出現するので、この切片９Ａにメモ用紙や名刺等を挟むことができる。
【００１９】
次に、図６は、前述の実施形態の変形例であり、前記舌片８と切片９Ａの中心線に沿って略同じ長さのスリット１３，１４をそれぞれ入れたものである。前記スリット１３，１４を設けることによって、前記舌片８の挿入孔９内への差し込みが容易になる。
【００２０】
また、図７は、前記係合手段７を前記上シート４と下シート５の長辺側の上縁部に沿って一つ形成している。つまり、前記上シート４の長辺側の上縁部に沿って直線状の長い切断線１１を形成して挿入孔９を形成し、前記切断線１１の両終端に小円孔１５，１５を形成している。また、前記下シート５の長辺側の上縁部に沿って断面略コ字形の直線状の長い切断線１０を形成して舌片８を形成している。この場合、前記下シート５に形成した舌片８を、前記上シート４に形成した挿入孔９に下方から差し込んで上下シートを連結している。ここで、前記舌片８は、デスクマット１の上縁に沿って前記上シート４の表面側に出現しているので、この舌片８をホルダーとして利用し、メモ用紙や名刺等を挟むことができる。
【００２１】
また、図８は、図７に示した実施形態の変形例であり、横幅の狭い３つの係合手段７，…を前記上シート４と下シート５の長辺側の上縁部に沿って形成したものである。基本的な部分は前記同様であるので、同一構成には同一符号を付してその説明は省略する。
【００２２】
また、図９は、図７及び図８に示した実施形態の更に変形例であり、前記係合手段７を前記上シート４と下シート５の長辺側の上縁部に沿って２つ形成したものである。この場合、前記上シート４には、前記同様に長辺側の上縁部に沿って直線状の切断線１１を２つ形成して挿入孔９，９を形成し、各切断線１１の両終端に小円孔１５，１５を形成している。また、前記下シート５には、前述と異なる切断線１０を形成して舌片８を形成している。この舌片８は、幅の狭い首部８Ａと幅の広い頭部８Ｂとを有する逆Ｔ字形のものであり、前記首部８Ａの幅を前記挿入孔９の横幅Ｌ１と略一致させ、前記頭部８Ｂの横幅Ｌ２を挿入孔９の横幅Ｌ１よりも十分に広く設定し、より確実な上下シートの連結を図っている。
【００２３】
また、図１０は、図９に示した実施形態の変形例であり、前記上シート４の上縁部のコーナー部に、図９に示したものと同様な前記挿入孔９を約４５度傾けて形成するとともに、前記下シート５の上縁部のコーナー部に、図９に示したものと同様な前記舌片８を約４５度傾けて形成したものである。
【００２４】
また、図１１は、図９及び図１０に示した舌片８の変形例である。ここでは、前記切断線１０の両終端に小円孔１２，１２を形成し、前記舌片８を前記挿入孔９に差し込んだ際に、該小円孔１２，１２に前記挿入孔９の両終端の小円孔１５，１５を受入れて、抜止めの作用をさせるのである。
【００２５】
最後に、図１２は、図９に示した実施形態の変形例であり、前記上シート４の上縁部に挿入孔の代わりに切欠孔１６，１６を形成し、前記下シート５には前記同様な逆Ｔ字形の舌片８を形成したものである。ここで、前記切欠孔１６は、上シート４の上縁に開放した逆Ｔ字形の形状を有し、該切欠孔１６の最大幅を前記舌片８の首部８Ａの幅と略一致させている。この場合は、前記下シート５に形成した前記舌片８を起した状態で、前記上シート４を下シート５の上面を上方へ滑らせながら舌片８の首部８Ａを前記切欠孔１６内に係合するのである。
【００２６】
以上、前記係合手段７として各種構造のものを例示したが、本発明では重ね合わせた上下シートの周縁部においてシート素材同士の上下方向の交差のみによって着脱自在に連結できるものであれば、適宜な構造のものを採用できる。また、係合手段７を設ける位置も、デスクマット１の使用形態に応じて周縁部で自由に選択できる。
【００２７】
【発明の効果】
以上にしてなる請求項１に係る発明のデスクマットは、ポリオレフィン系樹脂からなる上シートと、該上シートと同種又は異種のポリオレフィン系樹脂からなる下シートとからなり、重ね合わせた上下シートの周縁部においてシート素材同士の上下方向の交差のみによる着脱自在な係合手段にて連結してなるので、使用時に両シートがずれることがなく、また両シートを分離して簡単に汚れを取り除くことができ、しかも安価に製造できるのである。また、デスクマットのシート素材として、ポリオレフィン系樹脂を用いているので、環境に配慮したものとなっている。また、上下シートを接着や溶着しないので、シート素材の組み合わせを自由に選択できる。
【００２８】
請求項２によれば、舌片を挿入孔に差し込むだけで上下シートを簡単に連結することができ、使用中に上下シートがずれることを防止でき、また舌片と挿入孔がともにシート素材を部分切断して形成してなるので、その製造が簡単である。
【００２９】
請求項３によれば、前記上シートと下シートが長方形状であり、前記係合手段が長辺側の両側部又は上縁部に沿って形成してなるので、上シートを下から捲れるので、シート物を挟んだり、取り除いたりする作業が容易である。
【００３０】
請求項４によれば、平面視形状が略同形の前記上シートと下シートとからなり、少なくとも一方が透明又は半透明であると、間に挟んだシート物を透視できる。
【００３１】
請求項５によれば、上シートと下シートを硬さが異なるシート素材で形成してなるので、使用者の筆圧に応じて最適な硬さの面を上に向けて敷設することができる。
【図面の簡単な説明】
【図１】本発明のデスクマットの使用例を示す学習机の斜視図である。
【図２】上シートと下シートの分解斜視図である。
【図３】上シートと下シートを連結する係合手段を示す部分分解斜視図である。
【図４】上シートと下シートを連結した状態の部分斜視図である。
【図５】上シートと下シートを連結した状態の部分断面図である。
【図６】係合手段の第１変形例を示し、（ａ）は上シートの部分平面図、（ｂ）は下シートの部分平面図である。
【図７】係合手段の第２変形例を示し、（ａ）は上シートの部分平面図、（ｂ）は下シートの部分平面図である。
【図８】係合手段の第３変形例を示し、（ａ）は上シートの部分平面図、（ｂ）は下シートの部分平面図である。
【図９】係合手段の第４変形例を示し、（ａ）は上シートの部分平面図、（ｂ）は下シートの部分平面図である。
【図１０】係合手段の第５変形例を示し、（ａ）は上シートの部分平面図、（ｂ）は下シートの部分平面図である。
【図１１】図９及び図１０の舌片の変形例を示す下シートの部分平面図である。
【図１２】係合手段の第６変形例を示し、（ａ）は上シートの部分平面図、（ｂ）は下シートの部分平面図である。
【符号の説明】
１  デスクマット        ２  学習机
３  天板                ４  上シート
５  下シート            ６  シート物
７  係合手段            ８  舌片（係合手段）
８Ａ  首部              ８Ｂ  頭部
９  挿入孔（係合手段）  ９Ａ  切片
１０  切断線            １１  切断線
１２  小円孔            １３  スリット
１４  スリット          １５  小円孔
１６  切欠孔
【図１】
2004236701.tif 000003
【図２】
2004236701.tif 000004
【図３】
2004236701.tif 000005
【図４】
2004236701.tif 000006
【図５】
2004236701.tif 000007
【図６】
2004236701.tif 000008
【図７】
2004236701.tif 000009
【図８】
2004236701.tif 000010
【図９】
2004236701.tif 000011
【図１０】
2004236701.tif 000012
【図１１】
2004236701.tif 000013
【図１２】
2004236701.tif 000014